(57)【要約】【課題】  遊技機のリール前側に設けられる液晶パネルが透過状態にあるときに背面にある回転リールなどがくっきりと見え、図柄や絵柄がつやつやしく見えるようにすること。【解決手段】  液晶表示パネル用表面シート材７０を透明体である樹脂で構成された一定厚さのベースシート７１の一面を平滑なものとして構成し、かつ、該ベースシート７１の他面には透明な粘着材７２を設けて構成した。また、液晶表示パネル６０をそのアンチグレア層３表面に前記液晶表示パネル用表面シート材７０を貼り付け構成し、遊技機のリール２６Ｌ，２６Ｃ等の表示物を透視し易いものとした。さらに、液晶パネル１００の背面側でリール２６Ｌ、２６Ｃ、２６Ｒとの間に配置する光シャッタ１２０にはインバータ回路１３０を介して商用電源１４０からの交流波形を矩形波に変換して印加して、透過状態におけるリール等の背後の物体、風景等の視認性が向上させる。【選択図】図１
0003103774.tif 000002
【実用新案登録請求の範囲】
【請求項１】
透明体で構成された一定厚さのベースシートを備え、該ベースシートの一面は平滑に構成され、かつ、該ベースシートの他面にはベースシートを液晶表示パネルの表面に取り付ける透明な粘着材が設けられたことを特徴とする液晶表示パネル用表面シート材。
【請求項２】
前記粘着材は、液晶表示パネル表面の表面凹部を充填可能な柔らかさを備えたことを特徴とする、請求項１の液晶表示パネル用表面シート材。
【請求項３】
請求項１または請求項２の液晶表示パネル用表面シート材が表示パネル外側面および／または内側面に貼付されたことを特徴とする液晶表示パネル。
【請求項４】
液晶表示パネル用表面シート材が液晶パネルのパネル全面、またはパネルの一部に貼付されていることを特徴とする請求項３記載の液晶表示パネル。
【請求項５】
印加電圧のオン、オフで光の拡散、透過状態が変化する光シャッタであって、前記印加電圧が矩形波であることを特徴とする光シャッタ。
【請求項６】
前記矩形波のデューティ比を可変としてなることを特徴とする請求項４の光シャッタ。
【請求項７】
画像表示部に請求項３または請求項４の液晶表示パネルを備えたことを特徴とする遊技機。
【請求項８】
請求項４または５の光シャッタを用いて表示装置の透過、拡散を切り替え可能としてなることを特徴とする遊技機。
【考案の詳細な説明】
【技術分野】
【０００１】
本考案は、液晶表示パネル用表面シート材、液晶表示パネル、光シャッタ及び遊技機に係り、特に液晶表示パネルの背後にある物体を該液晶表示パネルを透かして良好に表示することができる液晶表示パネル用表面シート材、液晶表示パネル、光シャッタ及び遊技機に関するものである。
【背景技術】
【０００２】
近年、パチンコ、パチスロ等の遊技機については、様々なものが開発、発売されており、これらにおいては盤面に設けた画像表示装置が遊技内容、遊技状況の変化に応じてその表示内容が可変するものが多くなっている。
【０００３】
そのような遊技機においては、液晶表示パネルなどの表示パネルを用い、大当たり予告などの遊技状況の報知や、大当たり遊技の演出などの趣向を凝らした演出が行われている。特にＬＣＤを用いた画像表示装置は、表示能力が高く様々な画像演出が可能となっている。表示パネルには、光を透過する透過部と、画像演出を行う表示部とを形成し、表示部は、透過部の奥側に設けた回転リールなどを囲むように配置し、回転リールの挙動に応じて画像制御され得るように構成している。
【０００４】
このような液晶表示パネル１の表面には周囲の光源などの写り込みを防止するためアンチグレア処理が施される場合がある。
【０００５】
このアンチグレア処理として、図６に示すように、液晶表示部２の外側表面（観察側表面）に微細な凹凸４を有したアンチグレア層３を設けている場合がある。このアンチグレア層３の微細な凹凸表面で外部からの入射光Ｒ１は反射光ｒ１として乱反射して、観者への入射光量を少ないものとして、液晶表示パネル表面でのぎらつきや映り込みを抑止することができる。
【０００６】
ところで、このような液晶表示パネル１は、図３に示すように回転胴遊技機（スロット遊技機）１０の回転胴２６Ｌ，２６Ｃ，２６Ｒを覆うカバーパネル１４として使用し、回転胴（リール）２６Ｌ，２６Ｃ，２６Ｒの表示を透過して表示しつつ、その周囲部分、あるいは回転胴表示部分に映像８１，８２，８３を表示するものがある。
【０００７】
ここで、スロット遊技機１０の構成を示すと、スロット遊技機１０の全体を形成している筐体１２の正面には、矩形状の液晶表示パネル１４が設けられている。液晶表示パネル１４は、光の透過が可能な透過部１６と、画像表示可能な表示部１８とが設けられ、表示部１８は透過部１６を囲むように位置している。
【０００８】
筐体１２の内部には、各々の外周面に複数種類の識別情報画像が描かれた３個のリール２６Ｌ、２６Ｃ、２６Ｒが回転自在に設けられている。これらのリール２６Ｌ、２６Ｃ、２６Ｒの各々は、上述した液晶表示パネル１４の透過部１６を介して視認可能に設けられている。後述する如く、リール２６Ｌ、２６Ｃ、２６Ｒは、透過部１６において、リール２６Ｌ、２６Ｃ、２６Ｒの外周面に描かれた識別情報画像が上から下に向かって移動するように回転駆動される。そしてリール２６Ｌ、２６Ｃ、２６Ｒの各々の回転が停止したときには、１リール毎に３つの外周面に描かれた識別情報画像が透過部１６を介して視認されるように停止するのである。
【０００９】
液晶表示パネル１４の下方には、略水平の台座部２８が設けられており、その上面右側には、コイン投入口３１が設けられている。また、台座部２８の上面左側には、１回の押動操作により、既に投入されているコインのうちの１枚だけを遊技の賭けの対象とするための１−ＢＥＴスイッチ２０と、既に投入されているコインのうちの２枚だけを遊技の賭けの対象とするための２−ＢＥＴスイッチ２２と、既に投入されているコインのうち１回の遊技に可能な最大枚数のコインを遊技の賭けの対象とするための最大ＢＥＴスイッチ２４とが設けられている。
【００１０】
この１−ＢＥＴスイッチ２０を遊技者が操作したときには、３個のリール各々の視認可能な３つの識別情報画像の内、各々中央の識別情報画像の組み合わせからなる入賞ラインＬ１のみが遊技結果の判定に対して有効（以下、遊技結果の判定に対して有効となる識別情報画像の組合せを「有効ライン」と称する）となる。また、２−ＢＥＴスイッチ２２を操作したときには、上述の有効ラインの他に、３個のリール各々の視認可能な３つの識別情報画像の内、各々上側の識別情報画像の組み合わせ、又は各々下側の識別情報画像の組み合わせからなる入賞ラインＬ２Ａ及びラインＬ２Ｂを加えた、合計３本の入賞ラインが有効ラインとなる。
【００１１】
さらに、最大ＢＥＴスイッチ２４を操作したときには、既に投入されているコインが３枚以上であるときには、上述の有効ラインの他に、リール２６Ｌ上の上側の識別情報画像、リール２６Ｃ上の中央の識別情報画像、リール２６Ｒ上の下側の識別情報画像の組合せからなる入賞ラインＬ３Ａと、リール２６Ｌ上の下側の識別情報画像、リール２６Ｃ上の中央の識別情報画像、リール２６Ｒ上の上側の識別情報画像の組合せからなる入賞ラインＬ３Ｂと、を加えた５本の入賞ラインの全て、即ちＬ１、Ｌ２Ａ、Ｌ２Ｂ、Ｌ３Ａ及びＬ３Ｂを有効化する。入賞ラインＬ１、Ｌ２Ａ、Ｌ２Ｂ、Ｌ３Ａ及びＬ３Ｂの各々については後述する。但し、既に投入されているコインの残数が２枚の場合には、５つの入賞ラインの内のＬ１、Ｌ２Ａ及びＬ２Ｂの３つのみが、また、既に投入されているコインの残数が１枚の場合には、５つの入賞ラインの内のＬ１のみが有効化されることになる。有効化された入賞ラインについては、液晶表示パネル１４の表示部１８にその旨を表示することにより、遊技者に対して報知される。
【００１２】
これらのＢＥＴスイッチ２０、２２又は２４を押動操作することで、押動操作されたＢＥＴスイッチに応じて上述した入賞ラインが有効化されることとなる。上述した１−ＢＥＴスイッチ２０、２−ＢＥＴスイッチ２２、又は最大ＢＥＴスイッチ２４が遊技者によって押動操作されることにより、「遊技開始可能状態に」至ることをなし得るのである。
【００１３】
台座部２８の前面の左側には、スタートレバー３２が傾動可能に設けられている。このスタートレバー３２を遊技者が傾動操作することにより、上述した３つのリール２６Ｌ、２６Ｃ、２６Ｒの回転が一斉に開始される。３つのリール２６Ｌ、２６Ｃ、２６Ｒが回転したときには、リール２６Ｌ、２６Ｃ、２６Ｒの各々の外周面に描かれている識別情報画像が、液晶表示パネル１４の透過部１６において変動表示されることとなる。
【００１４】
上述した３つのリール２６Ｌ、２６Ｃ、２６Ｒの回転速度が所定の速度に達したときには後述するリール停止ボタン３４Ｌ、３４Ｃ、３４Ｒの遊技者による操作が有効となる。
【００１５】
台座部２８の前面の中央には、３個のリール停止ボタン３４Ｌ、３４Ｃ、３４Ｒが設けられている。リール停止ボタン３４Ｌはリール２６Ｌに対応し、リール停止ボタン３４Ｃはリール２６Ｃに対応し、リール停止ボタン３４Ｒはリール２６Ｒに対応している。リール停止ボタン３４Ｌを遊技者が押動操作したときには、リール２６Ｌが停止し、リール停止ボタン３４Ｃを遊技者が押動操作したときには、リール２６Ｃが停止し、リール停止ボタン３４Ｒを遊技者が押動操作したときには、リール２６Ｒが停止するようになされている。
【００１６】
スタートレバー３２の左側には、払出しボタン３６が設けられている。遊技者が払出しボタン３６を押動操作したときには、投入されているコインが正面下部のコイン払出口３８から払い出され、払い出されたコインはコイン受け部４０に溜められる。
【００１７】
また、このコイン受け部４０の上側には、筐体１２の内部に収納されたスピーカ（図示せず）から発せられた音を筐体１２の外部へ出すための透音口４２が設けられている。
【００１８】
上述したリール２６Ｌ、２６Ｃ、２６Ｒの各々には、外周面に複数種類の識別情報画像が、所定の数、例えば２１個ずつ描かれている。リール２６Ｌ，２６Ｃ，２６Ｒの各々の回転が停止したときの、液晶表示パネル１４の透過部１６から視認可能なこれらの識別情報画像の配置により、所定の量のコインの払い出しや、遊技者に対して有利な状態への遊技の移行などが行われる。液晶表示パネル１に画像、動画８１、８２，８３を表示することにより遊技者の興味を引くものとすることができる（特許文献１参照）。
【００１９】
【特許文献１】特開２００４−８７０５号公報
【考案の開示】
【考案が解決しようとする課題】
【００２０】
ところで、上述した装置１０に従来の液晶表示パネルを使用すると、内部のリール２６Ｌ，２６Ｃ，２６Ｒの識別表示が見にくいものとなる。これは図４に示すように内部からの入射光Ｒ２がアンチグレア層３で散乱され散乱光ｒ２となり、観者に達する光が弱くなるほか、その輪郭や色あいがぼやけてしまうからである。
【００２１】
ところで、液晶表示パネルとしては上述したアンチグレア処理を行わない液晶表示パネル（ラスタービュー液晶パネル）も供給されているが、専用に調達しなければならず不便である。
【００２２】
そこで、本考案の第１の目的は、一般に供給されるアンチグレア処理を行った液晶表示パネルに簡単な処理を行うことにより、任意の個所を容易にラスタービュー部分とすることができる液晶表示パネル用表面シートを提供して、上記課題を解決することである。
【００２３】
また、パチンコ、パチスロ等の遊技機等において上述のような表示機能を持たせようとした場合、ＬＣＤなどの表示パネルと回転リールなどの間に光シャッタを配置し、回転リールなどを必要に応じて前面側から見えなくし、表示パネルでの表示内容だけが遊技者から見えるようにしていっそう興趣が増すようにするものもある。
【００２４】
ところが、従来の光シャッタでは、透過状態にあるときに後側にある回転リールなどがくっきりとは見えず、例えば絵柄がぼやけた感じでしか見えないという問題があり、解決が望まれていた。
【００２５】
そこで、本考案は第２の目的は、上記問題点を解決した光シャッタと、これを用いた遊技機とを提供して、上記課題を解決することである。
【課題を解決するための手段】
【００２６】
請求項１の考案は、透明体で構成された一定厚さのベースシートを備え、該ベースシートの一面は平滑に構成され、かつ、該ベースシートの他面にはベースシートを液晶表示パネルの表面に取り付ける透明な粘着材が設けられたことを特徴とする液晶表示パネル用表面シート材である。
【００２７】
請求項２の考案は、請求項１の液晶表示パネル用表面シートにおいて、前記粘着材は、液晶表示パネル表面の表面凹部を充填可能な柔らかさを備えたことを特徴とするものである。
【００２８】
請求項３の考案は、請求項１または請求項２の液晶表示パネル用表面シート材が表示パネル外側面および／または内側面に貼付されたことを特徴とする液晶表示パネルである。
【００２９】
請求項４の考案は、請求項３の液晶表示パネルにおいて、液晶表示パネル用表面シート材が液晶パネルのパネル全面、またはパネルの一部に貼付されていることを特徴とするものである。
【００３０】
請求項５の考案は、上記目的を達成するために、印加電圧のオン、オフで光の拡散、透過状態が変化する光シャッタであって、前記印加電圧が矩形波であることを特徴とする光シャッタである。
【００３１】
請求項６の考案は、請求項５の光シャッタにおいて、前記矩形波のデューティ比を可変としてなることを特徴とするものである。
【００３２】
請求項７の考案は画像表示部に請求項３または請求項４の液晶表示パネルを備えたことを特徴とする遊技機である。
【００３３】
請求項８に係る考案は、請求項５または６の光シャッタを用いて表示装置の透過、拡散を切り替え可能としてなることを特徴とする遊技機である。
【考案の効果】
【００３４】
本発明によれば、一般に供給されるアンチグレア処理を行った液晶表示パネルに液晶表示パネル用表面シート材を貼付するだけで、任意の個所をラスタービュー部分とすることができ、液晶表示パネルより内側に表示されている物体、模様、記号などを良好に透視することができる他、光シャッタにより、その背後にある物体、背景、風景等を透明時に前側からくっきりと見えるようにすることができるという効果がある。
【考案を実施するための最良の形態】
【００３５】
以下本校案に係る液晶表示パネル用表面シート材、液晶表示パネル及び遊技機の実施の形態を実施例に基づいて説明する。
【実施例１】
【００３６】
図１は本考案の実施の形態に係る液晶表示パネルを示す図、図２は図１に示した液晶表示パネルの拡大断面図、図３は本考案に係る液晶表示パネルが使用される遊技機を示す斜視図である。
【００３７】
本例では遊技機であるスロット遊技機１０の構成は、従来例で示したものと同一であるのでその詳細な説明は省略する。
【００３８】
本例において、図３に示すように、スロット遊技機１０の液晶表示パネル１４は本発明に係る液晶表示パネル６０で構成されている。この液晶表示パネル６０は、図１及び図２に示すように、液晶表示部２とアンチグレア層３とで構成される液晶表示パネル１の観者側表面の全面に液晶表示パネル用表面シート材７０を貼付したものである。
【００３９】
液晶表示パネル用表面シート材７０は、図２に示すように一面が平滑に構成された透明な合成樹脂で構成された一定厚さのベースシート７１と、このベースシート７１の他面に平滑に附着されこのベースシート７１を前記液晶表示パネル１の表面に取り付ける透明な粘着材７２とから構成される。
【００４０】
本例では、ベースシート７１は厚さ約５０μの合成樹脂、例えばアクリル樹脂、ＰＥＴ（POLYETHYLENETEREPHTHALATE）樹脂で構成する。なおこのベースシートの透明度は、高いほど、またその観者側表面は高い平滑度を有することが求められる。
【００４１】
また、粘着材７２は、液晶表示パネル表面の表面凹部を充填可能な柔らかさを備え、かつ、屈折率が前記液晶表示パネル１のアンチグレア層３の表面を構成する材料の屈折率と略等しい合成樹脂材料を使用している。このため、粘着材７２がアンチグレア層３の凹凸４に入り込み、ベースシート７１とアンチグレア層３との間を隙間無く埋める。
【００４２】
また、粘着材７２の屈折率をアンチグレア層３の屈折率と略等しいものとしているため、図２に示すように入射光Ｒ２はアンチグレア層３と粘着材７２との境界で乱反射されることなく高効率で透過し、内部のリール２６Ｌ，２６Ｃ，２６Ｒの表示が明確に表示されることとなる。
【００４３】
このため、図１に示すように液晶表示パネル１の背後にある物体９０は、液晶表示パネル用表面シート材７０を貼り付けた部分６０ａが、液晶表示パネル用表面シート材７０を貼り付けない部分６０ｂに比べて明瞭に表示されることとなる。
【００４４】
なお、上記例では、液晶表示パネル用表面シート材７０は液晶表示パネル１の観者側に貼付するようにしたが、１の内側面に貼付しても良い。また、７０は１の全領域にわたり貼付する必要はなく、リール２６Ｌ，２６Ｃ，２６Ｒの表示個所に部分的に貼付するようにしても良い。
【００４５】
さらに上記例では遊技機としてパチスロ遊技機を例として説明したが、これはパチンコ遊技機その他の遊技機、ゲーム機などであっても良いのはもちろんである。
【実施例２】
【００４６】
図４は本考案に係る光シャッタを用いる遊技機の実施例を示すものである。図示の表示部１４は、参考のために示す従来のタイプのもので、液晶パネル１００と枠体１１０とからなり、図示の状態では液晶パネル１００を透明化して何も表示していない状態としてある。
【００４７】
枠体１１０は、開口窓部１６と枠部１８とからなり、枠部１８が開口窓部１６を囲んでいる。筐体１２内には、３個のリール２６Ｌ、２６Ｃ、２６Ｒが回転自在に設けてあり、それらの外周面には複数種類の識別情報画像（図示を省略）が描いてある。このリール２６Ｌ、２６Ｃ、２６Ｒは、上述した枠体１１０の開口窓部１６に臨ませてあり、液晶パネル１００を介して外方から視認できるようになっている。
【００４８】
図５は、本発明に係る光シャッタを図１の装置に用いた例を示す断面図である。本例では、枠体１１０に代えて光シャッタ１２０を用い、液晶パネル１００の背面側、すなわちリール２６Ｌ、２６Ｃ、２６Ｒとの間に配置してある。
【００４９】
光シャッタ１２０は、印加電圧のオン、オフで光の拡散、透過状態が変化するものであって、例えば特開平６−４３４７８号公報等に示されるようなものである。このような光シャッタは、例えば光が不透過あるいは不透明になる光拡散状態と光透過状態とを呈し得る液晶セル（例えば、ポリマー分散型液晶セル等）を用い、これを少なくとも光透過状態を呈し得る画像表示用の液晶セル（例えば、ＴＮ液晶セル、ＧＨ液晶セル等：本例では液晶パネル１００）とを重ね合わせ、視点側に画像表示用の液晶セルを配する構成とする。
【００５０】
なお、本明細書で言う光の透過状態とは背景を視認できるように光が透過する透明あるいは半透明の状態を言う。またなお、基板、駆動電極、また必要に応じて偏光板、カラーフィルタ、位相差フィルム、セルを保護する保護膜（あるいは、保護板）、その他のセル構成材の配置は任意である。
【００５１】
図示のように、光シャッタ１２０にはインバータ回路１３０を介して商用電源（または商用電源の電源アダプタ）１４０からの交流波形を矩形波に変換して印加する。本願考案者等の研究によれば、サインカーブ等のような波形の電圧を印加するよりも、矩形波として印可すると数％ではあるが透過状態におけるリール２６Ｌ、２６Ｃ、２６Ｒ等の背後の物体、風景等の視認性が向上し、図柄等であればその縁がくっきりと見えたり、図柄がくすんでしまう程度が小さくなり、図柄がつやつやしく見えるようになる。
【００５２】
なお、インバータ回路１３０により形成する矩形波のデューティ比は、例えば５０％でもよいが、その他の値でも良く、また装置の駆動状況に応じて可変としてもよい。そのようなインバータ回路と制御回路に付いては公知の装置を用いれば良い。またインバータ回路に代えて他の回路、手段を用いても良いことはもちろんである。
【図面の簡単な説明】
【００５３】
【図１】本考案の実施例に係る液晶表示パネルを示す図である。
【図２】図１に示した液晶表示パネルの拡大断面図である。
【図３】本考案の実施例に係る液晶表示パネルが使用される遊技機を示す斜視図である。
【図４】本考案の実施例に係る光シャッタを用いる遊技機を示す斜視図である。
【図５】本発明に係る光シャッタを図３の装置に用いた例を示す断面図
【図６】従来の液晶表示パネルの拡大断面図である。
【符号の説明】
【００５４】
１     液晶表示パネル
２     液晶表示部
３     アンチグレア層
４     凹凸
１０   スロット遊技機
１２   筐体
１４   カバーパネル
１４   表示パネル
１６   透過部
１８   表示部
２０   スイッチ
２１   例えば
２２   スイッチ
２４   スイッチ
２６Ｌ リール（回転胴）
２６Ｃ リール（回転胴）
２６Ｒ リール（回転胴）
２８   台座部
３１   コイン投入口
３２   スタートレバー
３４Ｌ リール停止ボタン
３４Ｃ リール停止ボタン
３４Ｒ リール停止ボタン
３６   ボタン
３８   コイン払出口
４０   コイン受け部
４２   透音口
６０   液晶表示パネル
７０   液晶表示パネル用表面シート材
７１   ベースシート
７２   粘着材
８１，８２，８３     映像
１００ 液晶パネル
１２０ 光シャッタ
１３０ インバータ回路
１４０ 商用電源
Ｒ１   入射光
ｒ１   反射光
Ｒ２   入射光
ｒ２   散乱光
【図１】
0003103774.tif 000003
【図２】
0003103774.tif 000004
【図３】
0003103774.tif 000005
【図４】
0003103774.tif 000006
【図５】
0003103774.tif 000007
【図６】
0003103774.tif 000008
【手続補正書】
【提出日】平成16年2月17日(2004.2.17)
【手続補正１】
【補正対象書類名】実用新案登録請求の範囲
【補正対象項目名】請求項８
【補正方法】変更
【補正の内容】
【請求項８】
請求項５または６の光シャッタを用いて表示装置の透過、不透過を切り替え可能としてなることを特徴とする遊技機。
【手続補正書】
【提出日】平成16年4月30日(2004.4.30)
【手続補正１】
【補正対象書類名】実用新案登録請求の範囲
【補正対象項目名】全文
【補正方法】変更
【補正の内容】
【実用新案登録請求の範囲】
【請求項１】
透明体で構成された一定厚さのベースシートを備え、該ベースシートの一面は平滑に構成され、かつ、該ベースシートの他面にはベースシートを液晶表示パネルの表面に取り付ける透明な粘着剤が設けられたことを特徴とする液晶表示パネル用表面シート材。
【請求項２】
前記粘着剤は、液晶表示パネル表面の表面凹部を充填可能な柔らかさを備えたことを特徴とする、請求項１の液晶表示パネル用表面シート材
【請求項３】
請求項１または請求項２の液晶表示パネル用表面シート材が表示パネル外側面および／または内側面に貼付されたことを特徴とする液晶表示パネル。
【請求項４】
液晶表示パネル用表面シート材が液晶パネルのパネル全面、またはパネルの一部に貼付されていることを特徴とする請求項３記載の液晶表示パネル。
【請求項５】
印加電圧のオン、オフで光の拡散、透過状態が変化する光シャッタを備え、前記印加電圧が矩形であることを特徴とする請求項１ないし請求項３のいずれかの液晶表示パネル。
【請求項６】
前記矩形波のデューティ比を可変としたことを特徴とする請求項５の液晶表示パネル。
【請求項７】
遊技機に使用することを特徴とする請求項４ないし請求項６のいずれかの液晶表示パネル。
【手続補正２】
【補正対象書類名】明細書
【補正対象項目名】全文
【補正方法】変更
【補正の内容】
【考案の詳細な説明】
【技術分野】
【０００１】
本考案は、液晶表示パネル用表面シート材、液晶表示パネル、光シャッタ及び遊技機に係り、特に液晶表示パネルの背後にある物体を該液晶表示パネルを透かして良好に表示することができる液晶表示パネル用表面シート材、及び液晶表示パネルに関するものである。
【背景技術】
【０００２】
近年、パチンコ、パチスロ等の遊技機については、様々なものが開発、発売されており、これらにおいては盤面に設けた画像表示装置が遊技内容、遊技状況の変化に応じてその表示内容が可変するものが多くなっている。
【０００３】
そのような遊技機においては、液晶表示パネルなどの表示パネルを用い、大当たり予告などの遊技状況の報知や、大当たり遊技の演出などの趣向を凝らした演出が行われている。特にＬＣＤを用いた画像表示装置は、表示能力が高く様々な画像演出が可能となっている。表示パネルには、光を透過する透過部と、画像演出を行う表示部とを形成し、表示部は、透過部の奥側に設けた回転リールなどを囲むように配置し、回転リールの挙動に応じて画像制御され得るように構成している。
【０００４】
このような液晶表示パネル１の表面には周囲の光源などの写り込みを防止するためアンチグレア処理が施される場合がある。
【０００５】
このアンチグレア処理として、図６に示すように、液晶表示部２の外側表面（観察側表面）に微細な凹凸４を有したアンチグレア層３を設けている場合がある。このアンチグレア層３の微細な凹凸表面で外部からの入射光Ｒ１は反射光ｒ１として乱反射して、観者への入射光量を少ないものとして、液晶表示パネル表面でのぎらつきや映り込みを抑止する
ことができる。
【０００６】
ところで、このような液晶表示パネル１は、図３に示すように回転胴遊技機（スロット遊技機）１０の回転胴２６Ｌ，２６Ｃ，２６Ｒを覆うカバーパネル１４として使用し、回転胴（リール）２６Ｌ，２６Ｃ，２６Ｒの表示を透過して表示しつつ、その周囲部分、あるいは回転胴表示部分に映像８１，８２，８３を表示するものがある。
【０００７】
ここで、スロット遊技機１０の構成を示すと、スロット遊技機１０の全体を形成している筐体１２の正面には、矩形状の液晶表示パネル１４が設けられている。液晶表示パネル１４は、光の透過が可能な透過部１６と、画像表示可能な表示部１８とが設けられ、表示部１８は透過部１６を囲むように位置している。
【０００８】
筐体１２の内部には、各々の外周面に複数種類の識別情報画像が描かれた３個のリール２６Ｌ、２６Ｃ、２６Ｒが回転自在に設けられている。これらのリール２６Ｌ、２６Ｃ、２６Ｒの各々は、上述した液晶表示パネル１４の透過部１６を介して視認可能に設けられている。後述する如く、リール２６Ｌ、２６Ｃ、２６Ｒは、透過部１６において、リール２６Ｌ、２６Ｃ、２６Ｒの外周面に描かれた識別情報画像が上から下に向かって移動するように回転駆動される。そしてリール２６Ｌ、２６Ｃ、２６Ｒの各々の回転が停止したときには、１リール毎に３つの外周面に描かれた識別情報画像が透過部１６を介して視認されるように停止するのである。
【０００９】
液晶表示パネル１４の下方には、略水平の台座部２８が設けられており、その上面右側には、コイン投入口３１が設けられている。また、台座部２８の上面左側には、１回の押動操作により、既に投入されているコインのうちの１枚だけを遊技の賭けの対象とするための１−ＢＥＴスイッチ２０と、既に投入されているコインのうちの２枚だけを遊技の賭けの対象とするための２−ＢＥＴスイッチ２２と、既に投入されているコインのうち１回の遊技に可能な最大枚数のコインを遊技の賭けの対象とするための最大ＢＥＴスイッチ２４とが設けられている。
【００１０】
この１−ＢＥＴスイッチ２０を遊技者が操作したときには、３個のリール各々の視認可能な３つの識別情報画像の内、各々中央の識別情報画像の組み合わせからなる入賞ラインＬ１のみが遊技結果の判定に対して有効（以下、遊技結果の判定に対して有効となる識別情報画像の組合せを「有効ライン」と称する）となる。また、２−ＢＥＴスイッチ２２を操作したときには、上述の有効ラインの他に、３個のリール各々の視認可能な３つの識別情報画像の内、各々上側の識別情報画像の組み合わせ、又は各々下側の識別情報画像の組み合わせからなる入賞ラインＬ２Ａ及びラインＬ２Ｂを加えた、合計３本の入賞ラインが有効ラインとなる。
【００１１】
さらに、最大ＢＥＴスイッチ２４を操作したときには、既に投入されているコインが３枚以上であるときには、上述の有効ラインの他に、リール２６Ｌ上の上側の識別情報画像、リール２６Ｃ上の中央の識別情報画像、リール２６Ｒ上の下側の識別情報画像の組合せからなる入賞ラインＬ３Ａと、リール２６Ｌ上の下側の識別情報画像、リール２６Ｃ上の中央の識別情報画像、リール２６Ｒ上の上側の識別情報画像の組合せからなる入賞ラインＬ３Ｂと、を加えた５本の入賞ラインの全て、即ちＬ１、Ｌ２Ａ、Ｌ２Ｂ、Ｌ３Ａ及びＬ３Ｂを有効化する。入賞ラインＬ１、Ｌ２Ａ、Ｌ２Ｂ、Ｌ３Ａ及びＬ３Ｂの各々については後述する。但し、既に投入されているコインの残数が２枚の場合には、５つの入賞ラインの内のＬ１、Ｌ２Ａ及びＬ２Ｂの３つのみが、また、既に投入されているコインの残数が１枚の場合には、５つの入賞ラインの内のＬ１のみが有効化されることになる。有効化された入賞ラインについては、液晶表示パネル１４の表示部１８にその旨を表示することにより、遊技者に対して報知される。
【００１２】
これらのＢＥＴスイッチ２０、２２又は２４を押動操作することで、押動操作されたＢＥＴスイッチに応じて上述した入賞ラインが有効化されることとなる。上述した１−ＢＥＴスイッチ２０、２−ＢＥＴスイッチ２２、又は最大ＢＥＴスイッチ２４が遊技者によって押動操作されることにより、「遊技開始可能状態に」至ることをなし得るのである。
【００１３】
台座部２８の前面の左側には、スタートレバー３２が傾動可能に設けられている。このスタートレバー３２を遊技者が傾動操作することにより、上述した３つのリール２６Ｌ、２６Ｃ、２６Ｒの回転が一斉に開始される。３つのリール２６Ｌ、２６Ｃ、２６Ｒが回転したときには、リール２６Ｌ、２６Ｃ、２６Ｒの各々の外周面に描かれている識別情報画像が、液晶表示パネル１４の透過部１６において変動表示されることとなる。
【００１４】
上述した３つのリール２６Ｌ、２６Ｃ、２６Ｒの回転速度が所定の速度に達したときには後述するリール停止ボタン３４Ｌ、３４Ｃ、３４Ｒの遊技者による操作が有効となる。
【００１５】
台座部２８の前面の中央には、３個のリール停止ボタン３４Ｌ、３４Ｃ、３４Ｒが設けられている。リール停止ボタン３４Ｌはリール２６Ｌに対応し、リール停止ボタン３４Ｃはリール２６Ｃに対応し、リール停止ボタン３４Ｒはリール２６Ｒに対応している。リール停止ボタン３４Ｌを遊技者が押動操作したときには、リール２６Ｌが停止し、リール停止ボタン３４Ｃを遊技者が押動操作したときには、リール２６Ｃが停止し、リール停止ボタン３４Ｒを遊技者が押動操作したときには、リール２６Ｒが停止するようになされている。
【００１６】
スタートレバー３２の左側には、払出しボタン３６が設けられている。遊技者が払出しボタン３６を押動操作したときには、投入されているコインが正面下部のコイン払出口３８から払い出され、払い出されたコインはコイン受け部４０に溜められる。
【００１７】
また、このコイン受け部４０の上側には、筐体１２の内部に収納されたスピーカ（図示せず）から発せられた音を筐体１２の外部へ出すための透音口４２が設けられている。
【００１８】
上述したリール２６Ｌ、２６Ｃ、２６Ｒの各々には、外周面に複数種類の識別情報画像が、所定の数、例えば２１個ずつ描かれている。リール２６Ｌ，２６Ｃ，２６Ｒの各々の回転が停止したときの、液晶表示パネル１４の透過部１６から視認可能なこれらの識別情報画像の配置により、所定の量のコインの払い出しや、遊技者に対して有利な状態への遊技の移行などが行われる。液晶表示パネル１に画像、動画８１、８２，８３を表示することにより遊技者の興味を引くものとすることができる（特許文献１参照）。
【００１９】
【特許文献１】特開２００４−８７０５号公報
【考案の開示】
【考案が解決しようとする課題】
【００２０】
ところで、上述した装置１０に従来の液晶表示パネルを使用すると、内部のリール２６Ｌ，２６Ｃ，２６Ｒの識別表示が見にくいものとなる。これは図４に示すように内部からの入射光Ｒ２がアンチグレア層３で散乱され散乱光ｒ２となり、観者に達する光が弱くなるほか、その輪郭や色あいがぼやけてしまうからである。
【００２１】
ところで、液晶表示パネルとしては上述したアンチグレア処理を行わない液晶表示パネル（ラスタービュー液晶パネル）も供給されているが、専用に調達しなければならず不便である。
【００２２】
そこで、本考案の目的は、一般に供給されるアンチグレア処理を行った液晶表示パネルに簡単な処理を行うことにより、任意の個所を容易にラスタービュー部分とすることができる液晶表示パネル用表面シートを提供して、上記課題を解決することである。
【００２３】
また、パチンコ、パチスロ等の遊技機等において上述のような表示機能を持たせようとした場合、ＬＣＤなどの表示パネルと回転リールなどの間に光シャッタを配置し、回転リールなどを必要に応じて前面側から見えなくし、表示パネルでの表示内容だけが遊技者から見えるようにしていっそう興趣が増すようにするものもある。
【００２４】
ところが、従来の光シャッタでは、透過状態にあるときに後側にある回転リールなどがくっきりとは見えず、例えば絵柄がぼやけた感じでしか見えないという問題があり、解決が望まれていた。
【００２５】
そこで、本考案の目的は、上記問題点を解決した光シャッタと、これを用いた遊技機とを提供して、上記課題を解決することである。
【課題を解決するための手段】
【００２６】
請求項１の考案は、透明体で構成された一定厚さのベースシートを備え、該ベースシートの一面は平滑に構成され、かつ、該ベースシートの他面にはベースシートを液晶表示パネルの表面に取り付ける透明な粘着材が設けられたことを特徴とする液晶表示パネル用表面シート材である。
【００２７】
請求項２の考案は、請求項１の液晶表示パネル用表面シートにおいて、前記粘着材は、液晶表示パネル表面の表面凹部を充填可能な柔らかさを備えたことを特徴とするものである。
【００２８】
請求項３の考案は、請求項１または請求項２の液晶表示パネル用表面シート材が表示パネル外側面および／または内側面に貼付されたことを特徴とする液晶表示パネルである。
【００２９】
請求項４の考案は、請求項３の液晶表示パネルにおいて、液晶表示パネル用表面シート材が液晶パネルのパネル全面、またはパネルの一部に貼付されていることを特徴とするものである。
【００３０】
請求項５の発明は、請求項１ないし請求項３のいずれかの液晶表示パネルにおいて、印加電圧のオン、オフで光の拡散、透過状態が変化する光シャッタを備え、前記印加電圧が矩形であることを特徴とするものである
【００３１】
請求項６の発明は、請求項５の液晶表示パネルにおいて、前記矩形波のデューティ比を可変としたことを特徴とするものである。
【００３２】
請求項７の発明は、請求項４ないし請求項６のいずれかの液晶表示パネルであって、遊技機に使用することを特徴とする。
【考案の効果】
【００３３】
本発明によれば、一般に供給されるアンチグレア処理を行った液晶表示パネルに液晶表示パネル用表面シート材を貼付するだけで、任意の個所をラスタービュー部分とすることができ、液晶表示パネルより内側に表示されている物体、模様、記号などを良好に透視することができる他、光シャッタにより、その背後にある物体、背景、風景等を透明時に前側からくっきりと見えるようにすることができるという効果がある。
【考案を実施するための最良の形態】
【００３４】
以下本校案に係る液晶表示パネル用表面シート材、液晶表示パネル及び遊技機の実施の形態を実施例に基づいて説明する。
【実施例１】
【００３５】
図１は本考案の実施の形態に係る液晶表示パネルを示す図、図２は図１に示した液晶表示パネルの拡大断面図、図３は本考案に係る液晶表示パネルが使用される遊技機を示す斜視図である。
【００３６】
本例では遊技機であるスロット遊技機１０の構成は、従来例で示したものと同一であるのでその詳細な説明は省略する。
【００３７】
本例において、図３に示すように、スロット遊技機１０の液晶表示パネル１４は本発明に係る液晶表示パネル６０で構成されている。この液晶表示パネル６０は、図１及び図２に示すように、液晶表示部２とアンチグレア層３とで構成される液晶表示パネル１の観者側表面の全面に液晶表示パネル用表面シート材７０を貼付したものである。
【００３８】
液晶表示パネル用表面シート材７０は、図２に示すように一面が平滑に構成された透明な合成樹脂で構成された一定厚さのベースシート７１と、このベースシート７１の他面に平滑に附着されこのベースシート７１を前記液晶表示パネル１の表面に取り付ける透明な粘着材７２とから構成される。
【００３９】
本例では、ベースシート７１は厚さ約５０μの合成樹脂、例えばアクリル樹脂、ＰＥＴ（POLYETHYLENETEREPHTHALATE）樹脂で構成する。なおこのベースシートの透明度は、高いほど、またその観者側表面は高い平滑度を有することが求められる。
【００４０】
また、粘着材７２は、液晶表示パネル表面の表面凹部を充填可能な柔らかさを備え、かつ、屈折率が前記液晶表示パネル１のアンチグレア層３の表面を構成する材料の屈折率と略等しい合成樹脂材料を使用している。このため、粘着材７２がアンチグレア層３の凹凸４に入り込み、ベースシート７１とアンチグレア層３との間を隙間無く埋める。
【００４１】
また、粘着材７２の屈折率をアンチグレア層３の屈折率と略等しいものとしているため、図２に示すように入射光Ｒ２はアンチグレア層３と粘着材７２との境界で乱反射されることなく高効率で透過し、内部のリール２６Ｌ，２６Ｃ，２６Ｒの表示が明確に表示されることとなる。
【００４２】
このため、図１に示すように液晶表示パネル１の背後にある物体９０は、液晶表示パネル用表面シート材７０を貼り付けた部分６０ａが、液晶表示パネル用表面シート材７０を貼り付けない部分６０ｂに比べて明瞭に表示されることとなる。
【００４３】
なお、上記例では、液晶表示パネル用表面シート材７０は液晶表示パネル１の観者側に貼付するようにしたが、１の内側面に貼付しても良い。また、７０は１の全領域にわたり貼付する必要はなく、リール２６Ｌ，２６Ｃ，２６Ｒの表示個所に部分的に貼付するようにしても良い。
【００４４】
さらに上記例では遊技機としてパチスロ遊技機を例として説明したが、これはパチンコ遊技機その他の遊技機、ゲーム機などであっても良いのはもちろんである。
【実施例２】
【００４５】
図４は本考案に係る光シャッタを用いる遊技機の実施例を示すものである。図示の表示部１４は、参考のために示す従来のタイプのもので、液晶パネル１００と枠体１１０とからなり、図示の状態では液晶パネル１００を透明化して何も表示していない状態としてある。
【００４６】
枠体１１０は、開口窓部１６と枠部１８とからなり、枠部１８が開口窓部１６を囲んでいる。筐体１２内には、３個のリール２６Ｌ、２６Ｃ、２６Ｒが回転自在に設けてあり、それらの外周面には複数種類の識別情報画像（図示を省略）が描いてある。このリール２６Ｌ、２６Ｃ、２６Ｒは、上述した枠体１１０の開口窓部１６に臨ませてあり、液晶パネル１００を介して外方から視認できるようになっている。
【００４７】
図５は、本発明に係る光シャッタを図１の装置に用いた例を示す断面図である。本例では、枠体１１０に代えて光シャッタ１２０を用い、液晶パネル１００の背面側、すなわちリール２６Ｌ、２６Ｃ、２６Ｒとの間に配置してある。
【００４８】
光シャッタ１２０は、印加電圧のオン、オフで光の拡散、透過状態が変化するものであって、例えば特開平６−４３４７８号公報等に示されるようなものである。このような光シャッタは、例えば光が不透過あるいは不透明になる光拡散状態と光透過状態とを呈し得る液晶セル（例えば、ポリマー分散型液晶セル等）を用い、これを少なくとも光透過状態を呈し得る画像表示用の液晶セル（例えば、ＴＮ液晶セル、ＧＨ液晶セル等：本例では液晶パネル１００）とを重ね合わせ、視点側に画像表示用の液晶セルを配する構成とする。
【００４９】
なお、本明細書で言う光の透過状態とは背景を視認できるように光が透過する透明あるいは半透明の状態を言う。またなお、基板、駆動電極、また必要に応じて偏光板、カラーフィルタ、位相差フィルム、セルを保護する保護膜（あるいは、保護板）、その他のセル構成材の配置は任意である。
【００５０】
図示のように、光シャッタ１２０にはインバータ回路１３０を介して商用電源（または商用電源の電源アダプタ）１４０からの交流波形を矩形波に変換して印加する。本願考案者等の研究によれば、サインカーブ等のような波形の電圧を印加するよりも、矩形波として印可すると数％ではあるが透過状態におけるリール２６Ｌ、２６Ｃ、２６Ｒ等の背後の物体、風景等の視認性が向上し、図柄等であればその縁がくっきりと見えたり、図柄がくすんでしまう程度が小さくなり、図柄がつやつやしく見えるようになる。
【００５１】
なお、インバータ回路１３０により形成する矩形波のデューティ比は、例えば５０％でもよいが、その他の値でも良く、また装置の駆動状況に応じて可変としてもよい。そのようなインバータ回路と制御回路に付いては公知の装置を用いれば良い。またインバータ回路に代えて他の回路、手段を用いても良いことはもちろんである。
【図面の簡単な説明】
【００５２】
【図１】本考案の実施例に係る液晶表示パネルを示す図である。
【図２】図１に示した液晶表示パネルの拡大断面図である。
【図３】本考案の実施例に係る液晶表示パネルが使用される遊技機を示す斜視図である。
【図４】本考案の実施例に係る光シャッタを用いる遊技機を示す斜視図である。
【図５】本発明に係る光シャッタを図３の装置に用いた例を示す断面図
【図６】従来の液晶表示パネルの拡大断面図である。
【符号の説明】
【００５３】
１    液晶表示パネル
２    液晶表示部
３    アンチグレア層
４    凹凸
１０   スロット遊技機
１２   筐体
１４   カバーパネル
１４   表示パネル
１６   透過部
１８   表示部
２０   スイッチ
２１   例えば
２２   スイッチ
２４   スイッチ
２６Ｌ リール（回転胴）
２６Ｃ リール（回転胴）
２６Ｒ リール（回転胴）
２８   台座部
３１   コイン投入口
３２   スタートレバー
３４Ｌ リール停止ボタン
３４Ｃ リール停止ボタン
３４Ｒ リール停止ボタン
３６   ボタン
３８   コイン払出口
４０   コイン受け部
４２   透音口
６０   液晶表示パネル
７０   液晶表示パネル用表面シート材
７１   ベースシート
７２   粘着材
８１，８２，８３     映像
１００ 液晶パネル
１２０ 光シャッタ
１３０ インバータ回路
１４０ 商用電源
Ｒ１   入射光
ｒ１   反射光
Ｒ２   入射光
ｒ２   散乱光